(57)【要約】【課題】電気光学装置において、補強部材により実装部の強度向上を図る。【解決手段】電気光学装置の一例たる液晶装置は、端子を有する可撓性基板の一例たるＦＰＣ、及びＦＰＣを含む実装部品を実装するための実装部を有する液晶表示パネルを備える。ＦＰＣは、実装部に接続されていると共に、実装部が形成された一方の面とは裏面である他方の面にかけて折り返されている。特に、この液晶装置では、実装部は、ＦＰＣと接続されている領域に対し両側に位置する、２つの領域を有し、当該実装部の２つの領域は、補強部材の一例としての、ＦＰＣの第１及び第２の挟持部によって挟持及び補強されている。このため、当該実装部の２つの領域の強度を向上させることができる。よって、かかる液晶装置を搭載した電子機器を万が一落下させたような場合でも、その衝撃により、当該実装部の２つの領域が撓み難くなり、実装部に破損が生じてしまうことを防止できる。【選択図】図１
2009063963.tif 000002
【特許請求の範囲】
【請求項１】
端子を有する可撓性基板と、
画像を表示するための画像表示部と少なくとも前記可撓性基板を含む実装部品を実装するための実装部とを有する電気光学パネルと、を備え、
前記可撓性基板は前記実装部に接続されていると共に、前記可撓性基板は前記実装部が形成された面とは裏面である他方の面にかけて折り返され、
前記実装部は、前記可撓性基板と接続されている領域に対し両側に位置する前記実装部の２つの領域を有し、
前記実装部の２つの領域は、補強部材によって補強されていることを特徴とする電気光学装置。
【請求項２】
前記補強部材は、前記実装部が形成された面及び前記実装部が形成された面とは裏面である他方の面の少なくともどちらか一方の面を補強していることを特徴とする請求項１に記載の電気光学装置。
【請求項３】
前記補強部材は、前記可撓性基板の部分であることを特徴とする請求項１又は２に記載の電気光学装置。
【請求項４】
前記補強部材は、前記可撓性基板とは別部材であることを特徴とする請求項１又は２に記載の電気光学装置。
【請求項５】
前記補強部材で保持された前記実装部の前記２つの領域の強度はほぼ等しいことを特徴とする請求項１乃至４のいずれか一項に記載の電気光学装置。
【請求項６】
請求項１乃至５のいずれか一項に記載の電気光学装置を表示部として備えることを特徴とする電子機器。
【発明の詳細な説明】
【技術分野】
【０００１】
本発明は、各種情報の表示に用いて好適な電気光学装置の構造に関する。
【背景技術】
【０００２】
従来より、液晶装置、有機エレクトロルミネッセンス表示装置、プラズマディスプレイ装置、及びフィールドエミッション表示装置などの各種の電気光学装置が知られている。
【０００３】
かかる電気光学装置の一例としての液晶装置は、各種電極、各種配線、スイッチング素子、液晶駆動用ＩＣ、及びＦＰＣ（Flexible Printed Circuit）などの構成要素がガラス基板上に形成若しくは実装されてなるアレイ基板と、カラーフィルタや対向電極などの構成要素がガラス基板上に形成されてなる対向基板とが枠状のシール材を介して貼り合わされ、そのシール材で区画される表示領域に液晶が挟持されて構成される。そのような液晶装置では、一般的に、アレイ基板は、対向基板の一端から外側へ張り出す張り出し部を有し、かかる張り出し部には駆動用ＩＣやＦＰＣなどが実装又は接続されている。
【０００４】
例えば、この種の液晶装置として、液晶パネルに接続されるＦＰＣ上に光源を実装して、そのＦＰＣを液晶パネル方向へ曲げることにより、光源の位置ずれを防止することが可能な液晶装置が知られている（例えば、特許文献１を参照）。
【０００５】
【特許文献１】特開２００６−３８９００号公報
【発明の開示】
【発明が解決しようとする課題】
【０００６】
ところで、近年、液晶装置が搭載される電子機器（例えば携帯電話）などに対しては小型化及び軽量化が求められており、これに伴って液晶装置を構成するガラス基板の薄型化が進行しつつある。このため、そのような液晶装置では、ガラス基板の強度向上を図ることが課題となっている。
【０００７】
具体的には、かかる液晶装置は、表示に寄与する有効表示領域と、その有効表示領域に隣接する位置に設けられ、ドライバＩＣやＦＰＣを実装又は接続するための張り出し部（又は実装部）と、を備えるが、有効表示領域は、液晶を挟持するためにアレイ基板と対向基板の２枚のガラス基板が貼り合わされた２枚構造により構成されているので、有効表示領域に位置するガラス基板の部分の強度は強いのに対し、張り出し部は、ドライバＩＣやＦＰＣ等を実装又は接続するためにアレイ基板側の１枚のガラス基板により構成されているので、有効表示領域の部分と比べるとガラス基板が１枚少ない分だけその強度は弱い。
【０００８】
そのため、かかる液晶装置を搭載した電子機器を落下させてしまったような場合、その衝撃で張り出し部に対し撓ませるような応力が加わり、その応力の大きさ如何によっては張り出し部に対して割れなどの破損が生じてしまうといった課題がある。
【０００９】
本発明は、以上の点に鑑みてなされたものであり、補強部材により実装部の強度向上を図ることが可能な電気光学装置及び電子機器を提供することを課題とする。
【課題を解決するための手段】
【００１０】
本発明の１つの観点では、電気光学装置は、端子を有する可撓性基板と、画像を表示するための画像表示部と少なくとも前記可撓性基板を含む実装部品を実装するための実装部とを有する電気光学パネルと、を備え、前記可撓性基板は前記実装部に接続されていると共に、前記可撓性基板は前記実装部が形成された面とは裏面である他方の面にかけて折り返され、前記実装部は、前記可撓性基板と接続されている領域に対し両側に位置する前記実装部の２つの領域を有し、前記実装部の２つの領域は、補強部材によって補強されている。
【００１１】
上記の電気光学装置は、電子機器などと電気的に接続される端子を有する可撓性基板と、画像を表示するための画像表示部と、少なくとも可撓性基板を含む実装部品（例えば、ドライバＩＣなど）を実装するための実装部とを有する電気光学パネルと、を備える。ここで、可撓性基板としては、ＦＰＣなどが挙げられる。また、電気光学パネルの少なくとも実装部はガラスなどの透光性材料にて形成されていることが好ましい。そして、可撓性基板は実装部に接続されていると共に、可撓性基板は実装部が形成された面とは裏面である他方の面にかけて折り返されている。本発明の他の観点では、上記の電気光学装置を表示部として備える電子機器を構成することができる。
【００１２】
特に、この電気光学装置では、実装部は、可撓性基板と接続されている領域に対し両側に位置する前記実装部の２つの領域を有し、当該実装部の２つの領域は、補強部材によって補強されている。このため、当該実装部の２つの領域の強度を向上させることができる。よって、かかる電気光学装置を搭載した電子機器を万が一落下させてしまったような場合でも、その衝撃によって、当該実装部の２つの領域が撓み難くなり、その結果、実装部に対しガラス割れなどの破損が生じてしまうことを防止できる。
【００１３】
上記の電気光学装置の一つの態様では、前記補強部材は、前記実装部が形成された面及び前記実装部が形成された面とは裏面である他方の面の少なくともどちらか一方の面を補強している。これにより、前記実装部が形成された面及び前記実装部が形成された面とは裏面である他方の面の少なくともどちらか一方の面の強度を向上させることができる。
【００１４】
好適な例では、前記補強部材は、前記可撓性基板の部分であることが好ましい。或いは、前記補強部材は、前記可撓性基板とは別部材、例えばテープなどの周知の各種部材であることが好ましい。
【００１５】
上記の電気光学装置の他の態様では、前記補強部材で保持された前記実装部の前記２つの領域の強度はほぼ等しい。これにより、かかる電気光学装置を搭載した電子機器を万が一落下させてしまった場合に、前記実装部の２つの領域に対し加わる応力を略等しくすることができ、より一層、実装部に対してガラス割れなどの破損が生じてしまうことを防止できる。
【発明を実施するための最良の形態】
【００１６】
以下、図面を参照して本発明を実施するための最良の形態について説明する。以下の実施形態は、本発明を電気光学装置の一例としての液晶装置に適用したものである。
【００１７】
[液晶装置の構成]
以下、図１乃至図４を参照して、本発明の実施形態に係る液晶装置１００の構成について説明する。
【００１８】
図１は、本発明の実施形態に係る液晶装置１００を、表示側となる観察側から見た平面図を示す。図２は、本実施形態に係る液晶装置１００を観察側と逆側から見た平面図を示す。図３（ａ）は、図１の液晶装置１００における切断線Ａ−Ａ’に沿った断面図を示す。図３（ｂ）は、図１の液晶装置１００における切断線Ｂ−Ｂ’に沿った断面図を示す。図４は、ＦＰＣ６の平面図を示す。
【００１９】
本実施形態に係る液晶装置１００は、主に、電気光学パネルの一例としての液晶表示パネル５０と、液晶駆動用のドライバＩＣ５と、可撓性基板の一例としてのＦＰＣ６と、を備える。
【００２０】
液晶表示パネル５０は、ガラスなどの透光性材料により形成された第１の基板１と、第１の基板１と同様の材料により形成された第２の基板２とを枠状のシール材３を介して貼り合わせ、その枠状のシール材３で区画される領域に液晶層（電気光学層）４が封入されてなる。第１の基板１の液晶層４側の内面上には、複数の信号線３１、複数の走査線３２、及び信号線３１と走査線３２の交差位置に対応して設けられた画素電極Ｇなどが形成されている。画素電極Ｇが行列状に配置された領域が文字、図形等の画像を表示するための有効表示領域（画像表示部）Ｖである。また、第１の基板１は、第２の基板２の一端（一辺）２ｅ側から外側へ張り出すと共に、少なくともドライバＩＣ５及びＦＰＣ６を含む実装部品を実装するための張り出し部（実装部）１ｈを有する。第１の基板１の実装部１ｈの一方の面１ｈａ上には、ドライバＩＣ５及びＦＰＣ６が実装又は接続されている。
【００２１】
実装部１ｈは、ＦＰＣ６と接続されている領域に対し両側に位置する、２つの領域１ｈＬ、１ｈＲを有する。第１の基板１の実装部１ｈの一方の領域１ｈＬは、第２の基板２の一端２ｅに位置する第１の基板１の部分と、各信号線３１及び各走査線３２と接続されたドライバＩＣ５の一辺に対し隣接する辺５Ｌと、複数の走査線３２のうち最も外側に且つドライバＩＣ５の辺５Ｌ側に位置する走査線３２と、第１の基板１の張り出し領域の外縁（端辺）とにより囲まれる領域を少なくとも含む領域（例えば、図１及び図２の破線にて囲まれる領域）とされる。一方、第１の基板１の実装部１ｈの他方の領域１ｈＲは、第２の基板２の一端２ｅに位置する第１の基板１の部分と、各信号線３１及び各走査線３２と接続されたドライバＩＣ５の一辺に対し隣接する辺５Ｒと、複数の走査線３２のうち最も外側且つドライバＩＣ５の辺５Ｒ側に位置する走査線３２と、第１の基板１の張り出し領域の外縁（端辺）とにより囲まれる領域を少なくとも含む領域（例えば、図１及び図２の破線にて囲まれる領域）とされる。
【００２２】
各信号線３１は、実装部１ｈから有効表示領域Ｖにかけて延在している。各信号線３１の一端はドライバＩＣ５に電気的に接続されており、各信号線３１にはドライバＩＣ５からデータ信号が供給される。各走査線３２は、実装部１ｈから、シール材３と有効表示領域Ｖの間の領域にかけて引き回され、さらに信号線３１とほぼ直交する方向に且つ有効表示領域Ｖにかけて延在している。各走査線３２の一端はドライバＩＣ５に電気的に接続されており、各走査線３２にはドライバＩＣ５から所定のタイミングで走査信号が供給される。その他、液晶表示パネル５０の液晶層４側の内面上には、例えば、ブラックマトリクス、カラーフィルタ、その他の電極など、多くの構成要素がマトリクス状（格子状）又はストライプ状（線状）に形成されるが、図１、図２及び図３（ａ）では図示を省略している。なお、本発明では、液晶表示パネル５０は、特定の構成に限定されず、周知の種々の構成を採り得る。
【００２３】
（ＦＰＣによる液晶表示パネルの強度向上構造）
まず、図１乃至図４を参照して、ＦＰＣ６の構成について説明する。
【００２４】
ＦＰＣ６は、第１の基板１の実装部１ｈにおいて、ＦＰＣ６と接続されている領域に対し両側に位置すると共にドライバＩＣ５の両側に位置する、第１の基板１の実装部１ｈの２つの領域１ｈＬ、１ｈＲのうち、一方の領域１ｈＬの少なくとも一部を挟持する第１の挟持部６Ｌ（図４の二点鎖線で囲まれる領域）と、当該２つの領域１ｈＬ、１ｈＲのうち、他方の領域１ｈＲの少なくとも一部を挟持する第２の挟持部６Ｒ（図４の二点鎖線で囲まれる領域）と、後述する電子機器と電気的に接続されるコネクタ端子などの端子７と、を備える。第１の挟持部６Ｌの端部は、端子７と電気的に接続されている。
【００２５】
なお、第１の基板１の実装部１ｈの一方の面１ｈａ上には、図６に示すように、複数のドライバＩＣが設けられることもある。この場合、第１の基板１の実装部１ｈの２つの領域１ｈＬ、１ｈＲは次のように定義される。ここで、図６は、複数のドライバＩＣを備える液晶装置１００ｙを、表示側となる観察側から見た平面図を示す。
【００２６】
液晶装置１００ｙは、各信号線３１と電気的に接続されるＸドライバＩＣ５ｘと、各走査線３２と電気的に接続されるＹドライバＩＣ５ｙＬ、５ｙＲと、を備える。ＸドライバＩＣ５ｘ、並びにＹドライバＩＣ５ｙＬ及び５ｙＲは、夫々、第１の基板１の実装部１ｈの一方の面１ｈａ上に形成されている。ＹドライバＩＣ５ｙＬ及び５ｙＲは、ＸドライバＩＣ５ｘを挟む位置に配置されている。
【００２７】
このような構成の下では、第１の基板１の実装部１ｈの一方の領域１ｈＬは、第２の基板２の一端２ｅに位置する第１の基板１の部分と、ＹドライバＩＣ５ｙＬに接続された複数の走査線３２のうち最も外側の走査線３２と、各走査線３２に接続されたＹドライバＩＣ５ｙＬの一辺に対し隣接する辺５ｙＬｅと、第１の基板１の張り出し領域の外縁（端辺）とにより囲まれる領域を少なくとも含む領域（例えば、図６の破線にて囲まれる領域）とされる。一方、第１の基板１の実装部１ｈの他方の領域１ｈＲは、第２の基板２の一端２ｅに位置する第１の基板１の部分と、ドライバＩＣ５ｙＲに接続された複数の走査線３２のうち最も外側の走査線３２と、各走査線３２と接続されたドライバＩＣ５ｙＲの一辺に対し隣接する辺５ｙＲｅと、第１の基板１の張り出し領域の外縁（端辺）とにより囲まれる領域を少なくとも含む領域（例えば、図６の破線にて囲まれる領域）とされる。
【００２８】
つまり、本発明では、複数のドライバＩＣが実装部１ｈに実装されている場合、実装部１ｈの２つの領域１ｈＬ、１ｈＲは、それぞれ、複数のドライバＩＣのうち最も外側のドライバＩＣと液晶表示パネルの外縁（端辺）との間の領域とされる。
【００２９】
次に、図１乃至図４を参照して、液晶表示パネル５０に対するＦＰＣ６の取付構造について説明する。
【００３０】
本実施形態では、ＦＰＣ６の一端６ａ（図４の一点鎖線で囲まれる領域）は、第１の基板１の実装部１ｈの一方の面１ｈａ上に形成された外部接続端子（図示略）に電気的に接続されていると共に、ＦＰＣ６の一端６ａと逆側に位置する他端６ｂ（図４の破線で囲まれる領域）は、第１の基板１の実装部１ｈの一方の面１ｈａから、当該実装部１ｈが形成された一方の面１ｈａに対して裏面となる他方の面１ｈｂにかけて折り返されている。そして、ＦＰＣ６の一端６ａ又はドライバＩＣ５に対し両側に位置する第１の基板１の実装部１ｈの一方の領域１ｈＬは、図示しない接着剤を介してＦＰＣ６の第１の挟持部６Ｌ（補強部材としての可撓性基板の部分）によって挟持されていると共に、第１の基板１の実装部１ｈの他方の領域１ｈＲは、図示しない接着剤を介してＦＰＣ６の第２の挟持部６Ｒ（補強部材としての可撓性基板の部分）によって挟持されている。このため、第１の基板１の実装部１ｈの一方の領域１ｈＬは、ＦＰＣ６の第１の挟持部６Ｌによって固定（支持又は補強）されていると共に、第１の基板１の実装部１ｈの他方の領域１ｈＲは、ＦＰＣ６の第２の挟持部６Ｒによって固定（支持又は補強）されている。ここで、ＦＰＣ６の第１の挟持部６Ｌは、第１の基板１の実装部１ｈの他方の面１ｈｂから一方の面１ｈａにかけて且つドライバＩＣ５側に向かって更に折り返されたＦＰＣ６の折り返し部分である。また、ＦＰＣ６の第２の挟持部６Ｒは、ＦＰＣ６の第１の挟持部６Ｌに対して、ＦＰＣ６の一端６ａ及びドライバＩＣ５を挟んで逆側に位置していると共に、第１の基板１の実装部１ｈの他方の面１ｈｂから一方の面１ｈａにかけて且つドライバＩＣ５側に向かって更に折り返されたＦＰＣ６の他の折り返し部分である。
【００３１】
以上に述べた本実施形態に係る液晶表示パネル５０に対するＦＰＣ６の取付構造によれば、後述する比較例と比較して有利な作用効果を奏する。
【００３２】
まず、比較例として、図１における液晶表示パネル５０に取り付けられたＦＰＣ６において第２の挟持部６Ｒのみ有しない構成を想定すると、かかる比較例に係る液晶表示パネル５０に対するＦＰＣの取付構造では、次のような課題が生じ得る。
【００３３】
即ち、比較例に係る液晶表示パネル５０に対するＦＰＣの取付構造を備えた液晶装置を電子機器に搭載した場合、第１の基板１の実装部１ｈの一方の領域１ｈＬ側はＦＰＣ６の第１の挟持部６Ｌが取り付けられている分だけ、電子機器内部と第１の挟持部６Ｌの間隔は狭くなるのに対し、第１の基板１の実装部１ｈの他方の領域１ｈＲ側はＦＰＣ６が存在しない分だけ、電子機器内部と第１の基板１の実装部１ｈの他方の領域１ｈＲの間隔は広くなる。なお、ここでは、第１の基板１及びＦＰＣの各厚さは均一であるものとし、また、電子機器内部と第１の基板１の間隔は均一であるものとしている。
【００３４】
そのため、第１の基板１の実装部１ｈの他方の領域１ｈＲは、第１の基板１の実装部１ｈの一方の領域１ｈＬと比較して、ＦＰＣが取り付けられていない分だけ、撓みなどに対する強度が弱くなる。したがって、かかる電子機器を万が一落下させてしまったような場合、その衝撃で、ＦＰＣが取り付けられていない側の、第１の基板１の他方の領域１ｈＲが撓み易くなり、その撓みの度合いによっては第１の基板１の他方の領域１ｈＲがその撓みに耐え切れず、当該他方の領域１ｈＲに対しガラス割れなどの破損が生じてしまう虞がある。
【００３５】
これに対して、本実施形態に係る液晶表示パネル５０に対するＦＰＣ６の取付構造を備える液晶装置１００によれば、実装部１ｈの一方の面１ｈａにおいてＦＰＣ６と接続されている領域に対し両側のうち一方の側に位置する、第１の基板１の実装部１ｈの一方の領域１ｈＬは、図示しない接着剤を介してＦＰＣ６の第１の挟持部６Ｌ（補強部材としての可撓性基板の部分）によって挟持されていると共に、実装部１ｈの一方の面１ｈａにおいてＦＰＣ６と接続されている領域に対し両側のうち他方の側に位置する、第１の基板１の実装部１ｈの他方の領域１ｈＲは、図示しない接着剤を介してＦＰＣ６の第２の挟持部６Ｒ（補強部材としての可撓性基板の部分）によって挟持されている。つまり、実装部１ｈの２つの領域１ｈＬ、１ｈＲは、それぞれ、ＦＰＣ６の第１の挟持部６Ｌ（補強部材）及び第２の挟持部６Ｒ（補強部材）によって補強されている。
【００３６】
この構成によれば、第１の基板１の実装部１ｈの他方の領域１ｈＲがＦＰＣ６の第２の挟持部６Ｒ（補強部材）によって挟持及び補強されている分だけ、上記の比較例よりも、第１の基板１の実装部１ｈの他方の領域１ｈＲの強度向上を図ることができる。よって、かかる液晶装置１００を搭載した電子機器を万が一落下させてしまったような場合でも、その衝撃によって、第１の基板１の実装部１ｈの一方の領域１ｈＬのみならず他方の領域１ｈＲも撓み難くなり、その結果、液晶表示パネル５０の実装部１ｈに対しガラス割れなどの破損が生じてしまうことを防止できる。
【００３７】
好適な例では、ＦＰＣ６の厚さ及び強度は均一であることが好ましい。また、図４において、ＦＰＣ６の第１の挟持部６Ｌの幅ｄ１（ＦＰＣ６の一端６ａから他端６ｂに向かう方向の長さ）と、ＦＰＣ６の第２の挟持部６Ｒの幅ｄ２（ＦＰＣ６の一端６ａから他端６ｂに向かう方向の長さ）とは略同一であることが好ましい。好ましくは、ＦＰＣ６の第２の挟持部６Ｒの幅ｄ２は、ＦＰＣ６の第１の挟持部６Ｌの幅ｄ１の０.７〜１.３倍であることが好ましく、更にはＦＰＣ６の第２の挟持部６Ｒの幅ｄ２は、ＦＰＣ６の第１の挟持部６Ｌの幅ｄ１の０．８〜１．２倍であることが好ましい。また、ＦＰＣ６の第１の挟持部６ＬとＦＰＣ６の第２の挟持部６Ｒとによって夫々保持された実装部１ｈの２つの領域１ｈＬ、１ｈＲの強度はほぼ等しいことが好ましい。
【００３８】
これにより、かかる電子機器の落下時において、第１の基板１の実装部１ｈの一方の領域１ｈＬと他方の領域１ｈＲとで、その落下時の衝撃により生じる撓み度合い又は応力を略等しくすることができ、より一層、液晶表示パネル５０の実装部１ｈに対してガラス割れなどの破損が生じてしまうことを防止できる。
【００３９】
[変形例]
次に、図５（ａ）及び（ｂ）を参照して、本発明の変形例に液晶表示パネル５０に対するＦＰＣ６ｘの取付構造について説明する。なお、以下では、上記の実施形態と同一の要素については同一の符号を付し、その説明は適宜省略する。
【００４０】
図５（ａ）は、図３（ｂ）に対応する、本発明の変形例に係る液晶表示パネル５０に対するＦＰＣ６ｘの取付構造を示す断面図である。図５（ｂ）は、図１の実装部１ｈ付近に対応する、変形例に係る液晶表示パネル５０に対するＦＰＣ６ｘの取付構造を示す要部平面図である。
【００４１】
変形例に係るＦＰＣ６ｘは、上記のＦＰＣ６に対して、第２の挟持部６Ｒのみ有しない構成を有する。なお、液晶表示パネル５０に対するＦＰＣ６ｘの取付構造は、上記した本実施形態の液晶表示パネル５０に対するＦＰＣ６の取付構造と略同様である。
【００４２】
特に、かかる変形例に係る液晶表示パネル５０に対するＦＰＣ６ｘの取付構造を備える液晶装置１００ｘでは、実装部１ｈの一方の面１ｈａにおいてＦＰＣ６ｘと接続されている領域に対し両側のうち一方の側に位置する、第１の基板１の実装部１ｈの一方の領域１ｈＬは、図示しない接着剤を介してＦＰＣ６ｘの第１の挟持部６Ｌ（補強部材としての可撓性基板の部分）によって挟持されていると共に、実装部１ｈの一方の面１ｈａにおいてＦＰＣ６ｘと接続されている領域に対し両側のうち他方の側に位置する、第１の基板１の実装部１ｈの他方の領域１ｈＲは、ＦＰＣ６ｘとは別部材の一例としてのテープ（補強部材）８によって挟持又は補強されている。好適な例では、テープ８の一方の面には粘着剤（図示略）が塗布されており、当該テープ８は、第１の基板１の実装部１ｈの他方の領域１ｈＲに対し挟持した状態で貼り付けられていることが好ましい。また、別部材には、テープの他、周知の各種の部材が含まれる。
【００４３】
このように、変形例では、第１の基板１の実装部１ｈの他方の領域１ｈＲは、テープ（補強部材）によって挟持又は補強されているので、上記の比較例よりも、第１の基板１の実装部１ｈの他方の領域１ｈＲの強度向上を図ることができる。よって、上記した実施形態と同様の作用効果を得ることができる。
【００４４】
他の好適な例では、テープ（補強部材）８の厚さ及び強度は、ＦＰＣ６ｘと略同一であることが好ましい。また、ＦＰＣ６ｘの第１の挟持部６Ｌの幅ｄ１（ＦＰＣ６ｘの一端６ａから他端６ｂに向かう方向の長さ）と、テープ８の幅ｄ２（ＦＰＣ６ｘの幅ｄ１の方向に対応する長さ）は略同一であることが好ましい。好ましくは、当該テープ８の幅ｄ２は、ＦＰＣ６ｘの第１の挟持部６Ｌの幅ｄ１の０.７〜１.３倍であることが好ましく、更には当該テープ８の幅ｄ２は、ＦＰＣ６ｘの第１の挟持部６Ｌの幅ｄ１の０．８〜１．２倍であることが好ましい。また、ＦＰＣ６の第１の挟持部６Ｌとテープ８とによって夫々保持された実装部１ｈの２つの領域１ｈＬ、１ｈＲの強度はほぼ等しいことが好ましい。
【００４５】
これにより、変形例に係る液晶装置を搭載した電子機器の落下時において、第１の基板１の実装部１ｈの一方の領域１ｈＬと他方の領域１ｈＲとで、その落下時の衝撃により生じる撓み度合い又は応力を略等しくすることができ、より一層、液晶表示パネル５０の実装部１ｈに対してガラス割れなどの破損が生じてしまうことを防止できる。
【００４６】
また、本発明では、実装部１ｈの２つの領域１ｈＬ、１ｈＲ（但し、実装部１ｈの２つの領域１ｈＬ、１ｈＲであっても実装部品や配線などが形成されている領域は除くことが好ましい）が補強部材によって補強されている構成であれば、どのような構成を採用しても構わない。以下、その一例について図７及び図８を参照して説明する。
【００４７】
図７は、本発明のその他の形態に係る液晶装置２００を、表示側となる観察側から見た平面図を示す。図８は、本発明のその他の形態に係る液晶装置２００を観察側と逆側から見た平面図を示す。
【００４８】
ＦＰＣ６ｙの一端６ａ側は、第１の基板１の実装部１ｈの一方の面１ｈａ上に形成された外部接続端子（図示略）に電気的に接続されていると共に、ＦＰＣ６ｙの一端６ａと逆側に位置する他端６ｂ側は、第１の基板１の実装部１ｈの一方の面１ｈａから、当該実装部１ｈが形成された一方の面１ｈａに対して裏面となる他方の面１ｈｂにかけて折り返されている。ＦＰＣ６ｙは、当該実装部１ｈの２つの領域１ｈＬ、１ｈＲの各々と平面的に重なっていない。なお、ＦＰＣ６ｙの端部は、端子７と電気的に接続されている。
【００４９】
特に、この液晶装置２００では、実装部１ｈの一方の面１ｈａ上であって、実装部１ｈの２つの領域１ｈＬ、１ｈＲの各々と平面的に重なる位置には、それぞれ補強部材７０が取り付けられている。ここで、補強部材７０は、テープなど各種の部材を用いることができる。このため、実装部１ｈの２つの領域１ｈＬ、１ｈＲは、それぞれ補強部材７０によって補強されている。よって、実装部１ｈの２つの領域１ｈＬ、１ｈＲの強度をそれぞれ向上させることができる。このため、かかる液晶装置２００を搭載した電子機器を万が一落下させてしまったような場合でも、その衝撃によって、実装部１ｈの２つの領域１ｈＬ、１ｈＲが撓み難くなり、その結果、液晶表示パネル５０の実装部１ｈに対しガラス割れなどの破損が生じてしまうことを防止できる。
【００５０】
即ち、本発明では、補強部材７０は、実装部１ｈが形成された一方の面１ｈａ及び実装部１ｈが形成された一方の面１ｈａとは裏面である他方の面１ｈｂの少なくともどちらか一方の面を補強していればよい。例えば、本発明では、実装部１ｈの他方の面１ｈｂであって、実装部１ｈの２つの領域１ｈＬ、１ｈＲを補強部材７０によって補強するようにしてもよく、或いは、実装部１ｈの他方の面１ｈｂであって、実装部１ｈの領域１ｈＬを補強部材７０によって補強すると共に、実装部１ｈの一方の面１ｈａであって、実装部１ｈの領域１ｈＲを補強部材７０によって補強するようにしてもよい。
【００５１】
[その他の変形例]
本発明では、その趣旨を逸脱しない範囲において種々の変形をすることが可能である。
例えば、ＦＰＣ６、６ｘの形状等は上記したものに限定されず、また、端子７は、ＦＰＣ６の第２の挟持部６Ｒに対して接続されていても構わない。
【００５２】
また、本発明は、液晶装置以外の電気光学装置、例えば有機ＥＬ装置、無機ＥＬ、プラズマディスプレイ装置、電気泳動表示装置、フィールドエミッションディスプレイ装置にも適用することができる。
【００５３】
[電子機器]
次に、上記の各種実施形態又は変形例に係る液晶装置１００、１００ｘ、１００ｙ、２００（以下、代表して「本発明に係る液晶装置１０００」と称する）を備える電子機器の具体例について図９を参照して説明する。
【００５４】
まず、本発明に係る液晶装置１０００を、可搬型のパーソナルコンピュータ（いわゆるノート型パソコン）の表示部に適用した例について説明する。図９（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００５５】
続いて、本発明に係る液晶装置１０００を、携帯電話機の表示部に適用した例について説明する。図９（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００５６】
なお、本発明に係る液晶装置１０００を適用可能な電子機器としては、図９（ａ）に示したパーソナルコンピュータや図９（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５７】
【図１】本発明の実施形態に係る液晶装置を観察側から見た平面図。
【図２】本実施形態に係る液晶装置を観察側と逆側から見た平面図。
【図３】本実施形態の液晶装置に対するＦＰＣの取付構造の各種断面図。
【図４】本実施形態に係るＦＰＣの平面図を示す。
【図５】変形例に係る液晶装置に対するＦＰＣの取付構造の断面図及び要部平面図。
【図６】本実施形態の他の形態に係る液晶装置を観察側から見た平面図。
【図７】他の変形例に係る液晶装置を観察側から見た平面図。
【図８】他の変形例に係る液晶装置を観察側と逆側から見た平面図。
【図９】本発明の液晶装置を備える電子機器の斜視図。
【符号の説明】
【００５８】
１  第１の基板、  １ｈ  実装部、  １ｈａ  一方の面、  １ｈｂ  他方の面、  １ｈＬ  一方の領域、  １ｈＲ  他方の領域、  ２  第２の基板、  ６、６ｘ、６ｙ  ＦＰＣ、  ６ａ  一端、  ６ｂ  他端、  ６Ｌ  第１の挟持部（補強部材）、  ６Ｒ  第２の挟持部（補強部材）、  ７  端子、  ８  テープ（補強部材）、  ５０  液晶表示パネル、  ７０  補強部材、  １００、１００ｘ、１００ｙ、２００  液晶装置
【図１】
2009063963.tif 000003
【図２】
2009063963.tif 000004
【図３】
2009063963.tif 000005
【図４】
2009063963.tif 000006
【図５】
2009063963.tif 000007
【図６】
2009063963.tif 000008
【図７】
2009063963.tif 000009
【図８】
2009063963.tif 000010
【図９】
2009063963.tif 000011